(57)【特許請求の範囲】
【請求項１】
増幅器、スピーカ、及び外部音源と電気的に接続される接続手段を有する本体と、中央に窓部が形成された枠体及びこの枠体に装着されて前記窓部に張られる可撓性シートを有する蓋体とを有する防水ケースにおいて、
前記可撓性シートが透光性を有し、前記本体に環状の防水リブを設け、前記可撓性シートの周縁部にシール部を設け、前記蓋体を閉じて前記防水リブとシール部とを密接させることによって水密となる、前記本体の防水リブよりも内側の防水領域に電気的な表示手段を設けたことを特徴とする防水ケース。
【請求項２】
増幅器、スピーカ、及び外部音源と電気的に接続される接続手段を有する本体と、中央に窓部が形成された枠体及びこの枠体に装着されて前記窓部に張られる可撓性シートを有する蓋体とを有する防水ケースにおいて、
前記本体に環状の防水リブを設け、前記可撓性シートの周縁部にシール部を設け、前記蓋体を閉じて前記防水リブとシール部とを密接させることによって水密となる、前記本体の防水リブよりも内側の防水領域に電気的な操作手段を設けたことを特徴とする防水ケース。
【発明の詳細な説明】
【技術分野】
【０００１】
本発明は、風呂場や海など、水がかかる虞のある環境で携帯型音響機器を使用するための防水ケースに関するものである。
【背景技術】
【０００２】
従来、この種の防水ケースとしては、スピーカを有する防水収納ケースに防水加工した扉を設け、防水収納ケースと扉で囲まれる収納部に携帯用カセットデッキ等を収容することができるようにしたものが知られている（例えば、特許文献１参照。）。また、本体部と蓋体を有し、この蓋体の切り抜き部に柔軟なウレタン膜を装着し、本体部の開口部に機器を入れて蓋体を閉じることで、ウレタン膜を介して機器を外部から操作可能な状態で水密に収納することができるものも知られている（例えば、特許文献２参照。）。
【特許文献１】実開平６−５２５３８号公報
【特許文献２】特開２０００−１２５９１６号公報
【発明の開示】
【発明が解決しようとする課題】
【０００３】
しかしながら、前者のような防水ケースにおいては、収納部に携帯型音響機器を収納した状態で操作する手段及びスピーカを駆動するための電気的手段について記載されていない。このため、このような防水ケースを実施する場合、携帯型音響機器を収納部に収納した状態で操作することができないということも考えられる。一方、後者のような防水ケースでは、前記ウレタン膜を介して携帯用音響機器を外部から操作することが可能であるが、イヤホンで聴くことが前提の携帯用音響機器の場合、このような防水ケースだけでは音楽を聴くことができないという問題がある。
【０００４】
そこで、後者の構造を前者の防水ケースに適用することで、防水された状態で携帯型音響機器を操作することが可能となる。しかしながら、このような防水ケースでは、携帯型音響機器自体の増幅器を用いて前記スピーカを駆動すると、イヤホンで聴くことが前提で出力が小さい携帯用音響機器の場合、あまり大きな音が出せないので、防水ケースのスピーカを駆動するための増幅器、電気的な表示手段（例えば、発光ダイオード等によるインジケータ等）及び電気的な操作手段（例えば、電源スイッチや音量調節手段等）が別途必要になる。しかしながら、このような表示手段や操作手段を設けると、携帯型音響機器のための防水構造の他に、表示手段や操作手段のための防水構造を設ける必要があるので、コストアップに繋がるばかりでなく、防水ケース内への水の侵入による防水ケース及び携帯用音響機器の故障の可能性が高くなるという問題があった。
【０００５】
本発明は以上の問題点を解決し、安価で且つ水侵入による故障の可能性を低く抑えることができる防水ケースを提供することを目的とする。
【課題を解決するための手段】
【０００６】
本発明の請求項１に記載の防水ケースは、増幅器、スピーカ、及び外部音源と電気的に接続される接続手段を有する本体と、中央に窓部が形成された枠体及びこの枠体に装着されて前記窓部に張られる可撓性シートを有する蓋体とを有する防水ケースにおいて、前記可撓性シートが透光性を有し、前記本体に環状の防水リブを設け、前記可撓性シートの周縁部にシール部を設け、前記蓋体を閉じて前記防水リブとシール部とを密接させることによって水密となる、前記本体の防水リブよりも内側の防水領域に電気的な表示手段を設けたものである。
【０００７】
また、本発明の請求項２に記載の防水ケースは、増幅器、スピーカ、及び外部音源と電気的に接続される接続手段を有する本体と、中央に窓部が形成された枠体及びこの枠体に装着されて前記窓部に張られる可撓性シートを有する蓋体とを有する防水ケースにおいて、前記本体に環状の防水リブを設け、前記可撓性シートの周縁部にシール部を設け、前記蓋体を閉じて前記防水リブとシール部とを密接させることによって水密となる、前記本体の防水リブよりも内側の防水領域に電気的な操作手段を設けたものである。
【発明の効果】
【０００８】
本発明の請求項１に記載の防水ケースは、以上のように構成することにより、前記蓋体を閉じて前記防水リブとシール部とを密接させることによって水密となる前記本体の防水領域に、前記電気的な表示手段が設けられるので、この表示手段のための防水構造を個別に設ける必要がなく、従って、コストダウンを図ることができるばかりでなく、水が侵入する可能性のある個所が減ることで、水侵入による故障の可能性を低く抑えることができる。
【０００９】
また、本発明の請求項２に記載の防水ケースは、以上のように構成することにより、前記蓋体を閉じて前記防水リブとシール部とを密接させることによって水密となる前記本体の防水領域に、電気的な前記操作手段が設けられるので、この操作手段のための防水構造を個別に設ける必要がなく、従って、コストダウンを図ることができるばかりでなく、水が侵入する可能性のある個所が減ることで、水侵入による故障の可能性を低く抑えることができる。
【発明を実施するための最良の形態】
【００１０】
以下、本発明の第一の実施形態について、図１〜図６及び図１３に基づいて説明する。１は防水ケースである。この防水ケース１は、本体２と、この本体２に対して開閉可能に枢支された蓋体３とを有して構成されている。
【００１１】
前記本体２は、外殻体４と、内殻体５とを有して構成されている。前記外殻体４の下部には切欠部６が形成されており、この切欠部６において前記蓋体３が枢支されている。また、前記外殻体の上部及び左右側部にも切欠部７，８，９が形成されており、これらの切欠部７，８，９において、前記蓋体３を閉じた状態で保持するためのバックル１０，１１，１２が枢支されている。また、前記外殻体４と内殻体５との間には、図示しない増幅器が設けられていると共に、前記外殻体４の後部には、音量調節摘み１３が設けられている。なお、前記外殻体４と音量調節摘み１３との間は、前記本体２内に水が侵入しないように防水構造となっている。また、前記外殻体４の後部には、図示しない防水構造のスピーカーが左右対称に一対設けられていると共に、このスピーカーが発する音を反射するための音響反射板１４が、前記外殻体４に摺動可能に取り付けられている。更に、前記外殻体４の内周縁近傍には、環状の防水リブ１５が前方に突出して形成されており、前記蓋体３を閉じた際に、後述する可撓性シート３４のシール部３４Ａが前記防水リブ１５に密接することで、図３に示すように、この防水リブ１５よりも内側が防水領域Ａとなる。そして、前記内殻体５が前記防水リブ１５の内側に取り付けられているので、前記内殻体５は前記防水領域Ａに配置されていることになる。
【００１２】
前記内殻体５には、前記蓋体３の後述する窓部３２とほぼ同形状で且つ外縁が窓部３２よりもやや大きな凹部１６が形成されている。そして、この凹部１６の外周部には段部１７が形成されていると共に、前記凹部１６の外周部から内側に向かって突出した左右一対のリブ１８が形成されている。また、前記内殻体５の凹部１６の下部中央には電池収納部１９が形成されており、この電池収納部１９に電池Ｂが収納可能に構成されている。なお、この電池収納部１９の前端縁は、前記段部１７と面一に形成されている。また、前記凹部１６のほぼ中央には貫通孔２０が形成されており、この貫通孔２０からケーブル２１が引き出されている。なお、このケーブル２１の先端には接続端子２２が取り付けられていると共に、前記ケーブル２１の基端は、前記本体２内の図示しない増幅器等に電気的に接続されている。また、前記凹部１６には、不使用時に前記接続端子２２を収納するための収納凹部２３が形成されている。また、前記凹部１６には、後述する蓋部材２８を前記凹部１６に取り付けるための係止凹部２４，２５が形成されていると共に、蓋部材２８を取り外す際に使用者が指を入れるための小凹部２６が形成されている。更に、前記凹部１６には、通電状態を表示するための電気的な表示手段としての発光ダイオード等の表示手段２７が設けられている。
【００１３】
更に、前記凹部１６には、蓋部材２８が着脱自在に取り付けられている。この蓋部材２８は、前記小凹部２６及び表示手段２７を除く前記凹部１６のほぼ全体を閉塞するように形成されている。なお、この蓋部材２８の厚さは、前記内殻体５の基準面Ｆ１と前記段部１７との段差とほぼ等しく形成されている。一方、前記凹部１６の底面Ｆ２と前記段部１７との段差は、前記ケーブル２１の太さ以上に形成されている。このため、前記蓋部材２８と内殻体５は、前記蓋部材２８を前記凹部１６に取り付けた状態で、前記蓋部材２８が前記段部１７に当接することで、前記蓋部材２８と前記内殻体５の基準面Ｆ１がほぼ面一となるように構成されている。なお、この際、前記電池収納部１９は前記蓋部材２８によって覆われることになる。また、前記蓋部材２８には、前記リブ１８に対応して切欠溝部２９が形成されていると共に、この切欠溝部２９の奥端に、この切欠溝部２９の幅よりも径大な円状部３０が前記切欠溝部２９と連続して形成されている。なお、前記切欠溝部２９及び円状部３０は、前記ケーブル２１の太さ以上の幅及び直径を有しており、これによって、前記ケーブル２１を前記円状部３０に通すことができるようになっている。また、前記蓋部材２８には、前記表示手段２７に対応して貫通孔３１が形成されている。
【００１４】
前記蓋体３は、窓部３２が形成された枠体３３と、この枠体３３に取り付けられると共に前記窓部３２を塞ぐ可撓性シート３４とを有して構成されている。前記蓋体３の枠体３３の下部は、前述したように、前記外殻体４の切欠部６において枢支されている。また、前記枠体３３の上部には、前記バックル１０に対応してバックル受部３５が形成されていると共に、前記枠体３３の左右側部にも、前記バックル１１，１２に対応して図示しないバックル受部が形成されている。また、前記窓部３２は、前述したように、前記蓋部材２８とほぼ同形状で且つ内縁が前記蓋部材２８の外縁よりもやや小さく形成されている。従って、図４に示すように、前記可撓性シート３４を通して前記窓部３２から視覚的に露出する部位Ｖには、前記蓋部材２８の他は、前記リブ１８及び表示手段２７を除く前記内殻体５が殆ど露出せず、従って、前記蓋部材２８と内殻体５との部品間の継ぎ目が前記部位Ｖに殆ど現れない。また、前記可撓性シート３４は、シリコンゴム等、透光性、防水性、可撓性及び適度な弾性を有する材質で形成されている。また、前記可撓性シート３４は、前記枠体３３に対して着脱自在に取り付けられている。更に、前記可撓性シート３４周縁部には、前記蓋体３を閉じた際に前記防水リブ１５に密接するシール部３４Ａが設けられている。
【００１５】
次に、本実施形態の作用について説明する。まず、使用者は外部音源としての携帯型音響機器Ｐを用意する。なお、この音響機器Ｐは、前記窓部３２よりも充分小さくなければならない。そして、使用者は前記枠体３３の上部に形成されたバックル受部３５と前記バックル１０との係合を解くと共に、前記枠体３３の左右側部に形成された図示しないバックル受部と前記バックル１１，１２との係合を解いた後、前記蓋体３を開いて前記防水領域Ａを露出させ、更に、前記蓋部材２８を前記内殻体５の凹部１６から取り外す。なお、この状態において、前記電池収納部１９が露出しているので、電池Ｂの交換が必要な場合は、この段階で交換する。そして、前記接続端子２２を前記収納凹部２３から取り外し、前記ケーブル２１を前記蓋部材２８に形成された左右何れかの切欠溝部２９を介して前記円状部３０に通す。そして、このように前記ケーブル２１が前記円状部３０に通された状態の前記蓋部材２８を、再び前記内殻体５の凹部１６に取り付ける。この際、前記切欠溝部２９が前記リブ１８によって塞がれるので、前記ケーブル２１は前記蓋部材２８の外縁よりも内側で前記蓋部材２８の後方から前方に引き出されることになる。更に、前記携帯型音響機器Ｐの図示しない出力端子に前記接続端子２２を接続し、前記携帯型音響機器Ｐを前記防水領域Ａに配置した後、前記蓋体３を閉じて、前記枠体３３の上部に形成されたバックル受部３５と前記バックル１０とを係合させ、前記枠体３３の左右側部に形成された図示しないバックル受部と前記バックル１１，１２とを係合させる。この状態において、前記可撓性シート３４のシール部３４Ａと前記防水リブ１５とが密接することで、前記防水リブ１５よりも内側の防水領域Ａが前記可撓性シート３４によって密閉される。このため、前記携帯型音響機器Ｐが収納された防水領域Ａへ水が侵入することが防止される。また、前記可撓性シート３４は弾性変形し、前記携帯型音響機器Ｐの表面に密着する。
【００１６】
なお、前述したように、前記電池収納部１９が防水領域Ａに形成されると共に、前記窓部３２から視覚的に露出する部位Ｖと同じか、部位Ｖよりもやや大きく形成された前記蓋部材２８によって前記凹部１６ごと覆われているので、前記電池収納部１９のための防水構造が特に必要なく、従ってコストダウンを図ることができると共に、前記電池収納部１９を覆う前記蓋部材２８の外縁が、前記可撓性シート３４を通して前記窓部３２から視覚的に露出する部位Ｖの外にあるので、この部位Ｖには、前記蓋部材２８の他は、前記リブ１８及び表示手段２７を除く前記内殻体５が殆ど露出せず、従って、前記蓋部材２８と内殻体５との部品間の継ぎ目が前記部位Ｖに殆ど現れない。また、前記ケーブル２１が前記蓋部材２８の外縁よりも内側で前記蓋部材２８の後方から前方に引き出されるので、前記ケーブル２１の引き出し位置と前記枠体３３の内縁とが充分に離間することになる。これによって、前記枠体３３の内縁近傍で前記可撓性シート３４に局所的に大きなストレスが加わって前記可撓性シート３４が大きく伸びるということが防止されるので、前記可撓性シート３４が前記枠体３３の内縁近傍で破損しにくくすることができる。更に、前述したように、前記表示手段２７も防水領域Ａに形成されると共に、前記窓部３２から視覚的に露出する部位Ｖに位置するので、前記表示手段２７のためだけの防水構造が特に必要なく、従ってコストダウンを図ることができる。
【００１７】
そして、前記音響反射板１４を摺動させて引き出し、前記音量調節摘み１３を操作して任意の音量に設定した後、前記可撓性シート３４を介して前記携帯型音響機器Ｐの図示しない操作部を操作する。この際、前記携帯型音響機器Ｐの図示しない操作部が押しボタン型のスイッチであった場合、前記可撓性シート３４を介して押しボタン型スイッチを押すことで、前記操作部を操作可能である。また、前記操作部がスライド式のスイッチや回転型のスイッチであった場合、前記可撓性シート３４の上から前記シート３４の面に沿って指を動かすことでスイッチをスライドさせたり、前記シート３４ごとスイッチを摘んでスイッチを回転させたりして操作することが可能である。このように前記携帯型音響機器Ｐの図示しない操作部を前記可撓性シート３４を介して操作することで、前記携帯型音響機器Ｐの音声信号が図示しない出力端子から前記接続端子２２、ケーブル２１を経て図示しない増幅器に送られ、この増幅器によって増幅され、図示しない防水スピーカで音声に変換され、前記音響反射板１４によって前方に放音される。
【００１８】
以上のように、本発明の防水ケース１は、中央に窓部３２が形成された枠体３３及びこの枠体３３に装着されて前記窓部３２に張られる可撓性シート３４を有する蓋体３を、増幅器と防水スピーカと外部音源としての携帯型音響機器Ｐを接続するための接続手段としてのケーブル２１及び接続端子２２を有する本体２に対して枢支し、前記本体２に環状の防水リブ１５を設け、透光性を有する前記可撓性シート３４の周縁部にシール部３４Ａを設けると共に、前記蓋体３を閉じて前記防水リブ１５とシール部３４Ａとを密接させることによって水密となる前記本体の防水領域Ａに、電気的な表示手段としての表示手段２７を設けたことで、この表示手段２７のための防水構造を前記本体２と蓋体３の防水構造と共通化することができ、従って、コストダウンを図ることができるばかりでなく、水が侵入する可能性のある個所が減ることで、水侵入による前記本体２又は前記携帯型音響機器Ｐの故障の可能性を低く抑えることができるものである。
【００１９】
次に、本発明の第二の実施形態について、図７乃至図１３に基づいて説明する。なお、上記第一の実施形態と共通する部分については、共通の符号を付し、その説明を省略する。４１は防水ケースである。この防水ケース４１は、本体４２と、この本体４２に対して開閉可能に枢支された蓋体３とを有して構成されている。
【００２０】
前記本体４２は、外殻体４３と、内殻体４４とを有して構成されている。前記外殻体４３の下部には切欠部４５が形成されており、この切欠部４５において前記蓋体３が枢支されている。また、前記外殻体４３の上部及び左右側部にも切欠部４６，４７，４８が形成されており、これらの切欠部４６，４７，４８において、前記蓋体３を閉じた状態で保持するためのバックル１０，１１，１２が枢支されている。また、前記外殻体４３と内殻体４４との間には、図示しない増幅器が設けられている。更に、前記外殻体４３の内周縁近傍には、環状の防水リブ４９が前方に突出して形成されており、前記蓋体３を閉じた際に、後述する可撓性シート３４のシール部３４Ａが前記防水リブ４９に密接することで、図９に示すように、この防水リブ４９よりも内側が防水領域Ａ´となる。そして、前記内殻体４４が前記防水リブ４９の内側に取り付けられているので、前記内殻体４４は前記防水領域Ａ´に配置されていることになる。
【００２１】
前記内殻体４４には、前記蓋体３の後述する窓部３２とほぼ同形状で且つ外縁が窓部３２よりもやや大きな凹部５０が形成されている。そして、この凹部５０の外周部には段部５１が形成されていると共に、前記凹部５０の外周部から内側に向かって突出した左右一対のリブ５２が形成されている。また、前記内殻体４４の凹部５０の下部中央には電池収納部５３が形成されており、この電池収納部５３に電池Ｂが収納可能に構成されている。なお、この電池収納部５３の前端縁は、前記段部５１と面一に形成されている。また、前記凹部５０のほぼ中央には貫通孔５４が形成されており、この貫通孔５４からケーブル２１が引き出されている。なお、このケーブル２１の先端には接続端子２２が取り付けられていると共に、前記ケーブル２１の基端は、前記本体４２内の図示しない増幅器等に電気的に接続されている。また、前記凹部５０には、不使用時に前記接続端子２２を収納するための収納凹部５５が形成されている。また、前記凹部５０には、後述する蓋部材６２を前記凹部５０に取り付けるための係止凹部５６，５７が形成されていると共に、蓋部材６２を取り外す際に使用者が指を入れるための小凹部５８が形成されている。また、前記凹部５０には、電気的な操作手段としての電源スイッチ５９が設けられている。そして、この電源スイッチ５９は、内部に図示しない発光ダイオード等が収容されていることで、通電状態を示す表示手段６０を兼ねている。更に、前記凹部５０には、電気的な操作手段としての音量調節スイッチ６１が設けられている。
【００２２】
更に、前記凹部５０には、蓋部材６２が着脱自在に取り付けられている。この蓋部材６２は、前記小凹部５８、電源スイッチ５９（即ち表示手段６０）及び音量調節スイッチ６１を除く前記凹部５０のほぼ全体を閉塞するように形成されている。なお、この蓋部材６２の厚さは、前記内殻体４４の基準面Ｆ１´と前記段部５１との段差とほぼ等しく形成されている。一方、前記凹部５０の底面Ｆ２´と前記段部５１との段差は、前記ケーブル２１の太さ以上に形成されている。このため、前記蓋部材６２と内殻体４４は、前記蓋部材６２を前記凹部５０に取り付けた状態で、前記蓋部材６２が前記段部５１に当接することで、前記蓋部材６２と前記内殻体４４の基準面Ｆ１´がほぼ面一となるように構成されている。なお、この際、前記電池収納部５３は前記蓋部材６２によって覆われることになる。また、前記蓋部材６２には、前記リブ５２に対応して切欠溝部６３が形成されていると共に、この切欠溝部６３の奥端に、この切欠溝部６３の幅よりも径大な円状部６４が前記切欠溝部６３と連続して形成されている。なお、前記切欠溝部６３及び円状部６４は、前記ケーブル２１の太さ以上の幅及び直径を有しており、これによって、前記ケーブル２１を前記円状部６４に通すことができるようになっている。また、前記蓋部材６２には、前記電源スイッチ５９（即ち表示手段６０）に対応して貫通孔６５が形成されていると共に、前記音量調節スイッチ６１に対応して貫通孔６６が形成されている。
【００２３】
前記蓋体３は、窓部３２が形成された枠体３３と、この枠体３３に取り付けられると共に前記窓部３２を塞ぐ可撓性シート３４とを有して構成されている。前記蓋体３の枠体３３の下部は、前述したように、前記外殻体４３の切欠部４５において枢支されている。また、前記枠体３３の上部には、前記バックル１０に対応してバックル受部３５が形成されていると共に、前記枠体３３の左右側部にも、前記バックル１１，１２に対応して図示しないバックル受部が形成されている。また、前記窓部３２は、前述したように、前記蓋部材６２とほぼ同形状で且つ内縁が前記蓋部材６２の外縁よりもやや小さく形成されている。従って、図１０に示すように、前記可撓性シート３４を通して前記窓部３２から視覚的に露出する部位Ｖ´には、前記蓋部材６２の他は、前記リブ５２、電源スイッチ５９（即ち表示手段６０）及び音量調節スイッチ６１を除く前記内殻体４４が殆ど露出せず、従って、前記蓋部材６２と内殻体４４との部品間の継ぎ目が前記部位Ｖ´に殆ど現れない。また、前記可撓性シート３４は、前記枠体３３に対して着脱自在に取り付けられている。更に、前記可撓性シート３４周縁部には、前記蓋体３を閉じた際に前記防水リブ４９に密接するシール部３４Ａが設けられている。
【００２４】
次に、本実施形態の作用について説明する。まず、使用者は外部音源としての携帯型音響機器Ｐを用意する。なお、この音響機器Ｐは、前記窓部３２よりも充分小さくなければならない。そして、使用者は前記枠体３３の上部に形成されたバックル受部３５と前記バックル１０との係合を解くと共に、前記枠体３３の左右側部に形成された図示しないバックル受部と前記バックル１１，１２との係合を解いた後、前記蓋体３を開いて前記防水領域Ａ´を露出させ、更に、前記蓋部材６２を前記内殻体４４の凹部５０から取り外す。なお、この状態において、前記電池収納部５３が露出しているので、電池Ｂの交換が必要な場合は、この段階で交換する。そして、前記接続端子２２を前記収納凹部５５から取り外し、前記ケーブル２１を前記蓋部材６２に形成された左右何れかの切欠溝部６３を介して前記円状部６４に通す。そして、このように前記ケーブル２１が前記円状部６４に通された状態の前記蓋部材６２を、再び前記内殻体４４の凹部５０に取り付ける。この際、前記切欠溝部６３が前記リブ５２によって塞がれるので、前記ケーブル２１は前記蓋部材６２の外縁よりも内側で前記蓋部材６２の後方から前方に引き出されることになる。更に、前記携帯型音響機器Ｐの図示しない出力端子に前記接続端子２２を接続し、前記携帯型音響機器Ｐを前記防水領域Ａ´に配置した後、前記蓋体３を閉じて、前記枠体３３の上部に形成されたバックル受部３５と前記バックル１０とを係合させ、前記枠体３３の左右側部に形成された図示しないバックル受部と前記バックル１１，１２とを係合させる。この状態において、前記可撓性シート３４のシール部３４Ａと前記防水リブ４９とが密接することで、前記防水リブ４９よりも内側の防水領域Ａ´が前記可撓性シート３４によって密閉される。このため、前記携帯型音響機器Ｐが収納された防水領域Ａ´へ水が侵入することが防止される。
【００２５】
なお、前述したように、前記電池収納部５３が防水領域Ａ´に形成されると共に、前記窓部３２から視覚的に露出する部位Ｖと同じか、部位Ｖよりもやや大きく形成された前記蓋部材６２によって前記凹部５０ごと覆われているので、前記電池収納部５３のための防水構造が特に必要なく、従ってコストダウンを図ることができると共に、前記電池収納部５３を覆う前記蓋部材６２の外縁が、前記可撓性シート３４を通して前記窓部３２から視覚的に露出する部位Ｖ´の外にあるので、この部位Ｖ´には、前記蓋部材６２の他は、前記リブ５２、電源スイッチ５９（即ち表示手段６０）及び音量調節スイッチ６１を除く前記内殻体４４が殆ど露出せず、従って、前記蓋部材６２と内殻体４４との部品間の継ぎ目が前記部位Ｖ´に殆ど現れない。また、前記ケーブル２１が前記蓋部材６２の外縁よりも内側で前記蓋部材６２の後方から前方に引き出されるので、前記ケーブル２１の引き出し位置と前記枠体３３の内縁とが充分に離間することになる。これによって、前記枠体３３の内縁近傍で前記可撓性シート３４に局所的に大きなストレスが加わって前記可撓性シート３４が大きく伸びるということが防止されるので、前記可撓性シート３４が前記枠体３３の内縁近傍で破損しにくくすることができる。更に、前述したように、前記電源スイッチ５９（即ち表示手段６０）及び音量調節スイッチ６１も防水領域Ａ´に形成されると共に、前記窓部３２から視覚的に露出する部位Ｖ´に位置するので、前記電源スイッチ５９（即ち表示手段６０）及び音量調節スイッチ６１のためだけの防水構造が特に必要なく、従ってコストダウンを図ることができる。
【００２６】
そして、前記音響反射板１４を摺動させて引き出し、前記可撓性シート３４を介して前記電源スイッチ５９を操作して前記防水ケース４１の本体４２の電源を投入し、前記可撓性シート３４を介して前記音量調節スイッチ６１を操作して任意の音量に設定した後、前記可撓性シート３４を介して前記携帯型音響機器Ｐの図示しない操作部を操作する。このように、前記携帯型音響機器Ｐの図示しない操作部を前記可撓性シート３４を介して操作することで、前記携帯型音響機器Ｐの音声信号が図示しない出力端子から前記接続端子２２、ケーブル２１を経て図示しない増幅器に送られ、この増幅器によって増幅され、図示しない防水スピーカで音声に変換され、前記音響反射板１４によって前方に放音される。なお、透光性を有する前記可撓性シート３４を介して前記表示手段６０が視認されるので、この表示手段６０が発光しているか否かによって、前記防水ケース４１の本体４２が電源投入状態か否かを知ることができる。
【００２７】
以上のように、本発明の防水ケース４１は、中央に窓部３２が形成された枠体３３及びこの枠体３３に装着されて前記窓部３２に張られる可撓性シート３４を有する蓋体３を、増幅器と防水スピーカと外部音源としての携帯型音響機器Ｐを接続するための接続手段としてのケーブル２１及び接続端子２２を有する本体４２に対して枢支し、この本体４２に環状の防水リブ４９を設け、透光性を有する前記可撓性シート３４の周縁部にシール部３４Ａを設けると共に、前記蓋体３を閉じて前記防水リブ４９とシール部３４Ａとを密接させることによって水密となる前記本体の防水領域Ａ´に、電気的な表示手段６０を兼ねる電気的な操作手段としての電源スイッチ５９及び電気的な操作手段としての音量調節スイッチ６１を設けたことで、これら電源スイッチ５９（即ち表示手段６０）及び音量調節スイッチ６１のための防水構造を前記本体４２と蓋体３の防水構造と共通化することができ、従って、コストダウンを図ることができるばかりでなく、水侵入の可能性のある個所が減ることで、水侵入による前記本体４２又は前記携帯型音響機器Ｐの故障の可能性を低く抑えることができるものである。
【００２８】
なお、本発明は以上の実施形態に限定されるものではなく、発明の要旨の範囲内で種々の変形実施が可能である。例えば、上記各実施形態では、表示手段として、単純な点灯及び消灯状態を示すものを用いたが、表示手段はこれに限定されるものではなく、各種情報（例えば、電池残量や音量等）を表示するものであってもよく、また、視覚効果を与えるものであってもよい。また、上記各実施形態では、表示手段として発光ダイオード等を用いたが、これ以外の手段、例えばＥＬディスプレイや液晶ディスプレイ等を用いてもよい。更に、上記第二の実施形態において、電気的な操作手段として音量調節スイッチを用いたが、これ以外の操作手段、例えば音量調節つまみを用いてもよい。
【図面の簡単な説明】
【００２９】
【図１】本発明の第一の実施形態を示す防水ケースの正面図である。
【図２】本発明の第一の実施形態を示す防水ケースの右側面図である。
【図３】本発明の第一の実施形態を示す、蓋体を開いた状態における防水ケースの防水領域Ａを示した正面図である。
【図４】本発明の第一の実施形態を示す、蓋体を開いた状態における防水ケースの視覚的に露出する部位Ｖを示した正面図である。
【図５】本発明の第一の実施形態を示す、蓋体を開き蓋部材を取り外した状態における防水ケースの正面図である。
【図６】本発明の第一の実施形態を示す、使用状態における防水ケースの正面図である。
【図７】本発明の第二の実施形態を示す防水ケースの正面図である。
【図８】本発明の第二の実施形態を示す防水ケースの右側面図である。
【図９】本発明の第二の実施形態を示す、蓋体を開いた状態における防水ケースの正面図である。
【図１０】本発明の第二の実施形態を示す、蓋体を開いた状態における防水ケースの視覚的に露出する部位Ｖを示した正面図である。
【図１１】本発明の第二の実施形態を示す、蓋体を開き蓋部材を取り外した状態における防水ケースの正面図である。
【図１２】本発明の第二の実施形態を示す、使用状態における防水ケースの正面図である。
【図１３】本発明の各実施形態における可撓性シートであり、（ａ）は正面図、（ｂ）はＸ−Ｘ断面図である。
【符号の説明】
【００３０】
１，４１  防水ケース
２，４２  本体
３  蓋体
１５，４９  防水リブ
２１  ケーブル（接続手段）
２２  接続端子（接続手段）
２７，６０  表示手段
２８，６２  蓋部材
３２  窓部
３３  枠体
３４  可撓性シート
３４Ａ  シール部
５９  電源スイッチ（操作手段）
６１  音量調節スイッチ（操作手段）
Ａ，Ａ´  防水領域
【図１】
0004471958.tif 000002
【図２】
0004471958.tif 000003
【図３】
0004471958.tif 000004
【図４】
0004471958.tif 000005
【図５】
0004471958.tif 000006
【図６】
0004471958.tif 000007
【図７】
0004471958.tif 000008
【図８】
0004471958.tif 000009
【図９】
0004471958.tif 000010
【図１０】
0004471958.tif 000011
【図１１】
0004471958.tif 000012
【図１２】
0004471958.tif 000013
【図１３】
0004471958.tif 000014